(57)【要約】      （修正有）【課題】断面形状が同一形状の被塗装物を塗装するための塗装具において、その被塗装物が曲線であっても、接続されている物であっても、均一に塗装をする。【解決手段】断面形状が同一形状の被塗装物を塗装するための塗装具であって、被塗装物の形状に合わせた枠５を２分割して、それぞれの枠５の内側に変形させた海綿体もしくは、スポンジなどの浸透素材を設け、それぞれの枠５の外側の中心部分に軸６を設けた塗装部と、それぞれの塗装部が、回動できるように軸６を支持する軸受け７に塗装部を開閉するための取っ手２を取り付けた操作部１と、を備える塗装具。【選択図】図１
2012040545.tif 000002
【特許請求の範囲】
【請求項１】
断面形状が同一形状の被塗装物を塗装するための塗装具であって、被塗装物の形状に
合わせた枠を２分割し、それぞれの枠の内側に浸透素材を設け、それぞれの枠の外側に軸
を設けた塗装部と、それぞれの塗装部が回動できるように軸を支持する軸受けと、塗装部
を開閉するための取っ手を設けた操作部とを備えたことを特徴とする塗装具。
【請求項２】
前記浸透素材は、海綿体またはスポンジで構成されていることを特徴とする、請求項１
に記載の塗装具。
【請求項３】
前記浸透素材に対して塗料を供給する塗料供給部を前記枠に備えることを特徴とする
、請求項１、または２に記載の塗装具。
【発明の詳細な説明】
【技術分野】
【０００１】
この発明は、断面形状が同一形状の被塗装物を塗装するための塗装具に関するものである。
【背景技術】
【０００２】
たとえば特許文献１では、本体が円筒状で先端部の内周面に、スポンジを付けて塗装を含ませて塗装する塗装具が開示されている。この塗装具は、図９に示すように、筒１０１の先端１０２の内側にスポンジを付け、塗料を染み込ませ塗装物に塗装する塗装具である。しかし、両端部に接合された円柱物や曲線に曲げられた円柱物などには使用できない。
【０００３】
この問題を解決する一つの手段として、刷毛などで何度も繰り返し塗っていた。
【先行技術文献】
【特許文献】
【０００４】
【特許文献１】実用新案登録第３０００７８６号
【発明の概要】
【発明が解決しようとする課題】
【０００５】
従来、円柱部分などの塗装には、ローラー、刷毛、又は、特許文献ｌの円筒状塗装具などを用いて使用していた。また、特許文献１の図１０の１０５，１０６に示すように、塗装する円柱物の両端部などに接続する部分などがあるときなどは、図９の１０１の円筒状が使用出来なく、又、被塗装物が曲線に加工されている物にも同様に使用不可能であった。
【課題を解決するための手段】
【０００６】
このような課題を解決するために、本発明の塗装具は、断面形状が同一形状の被塗装物を塗装するための塗装具であって、被塗装物の形状に合わせた枠を２分割し、それぞれの枠の四方の縁に立ち上がりを設け、その枠の内部に変形させた海綿体や浸透素材を設け、それぞれの枠の外側の中心部分に軸を設けた塗装部と、それぞれの塗装部が支持方向に軸を、支持する軸受けに塗装部を開閉するための取っ手を取り付けた操作部とを備えたことを特徴とする塗装具である。
【発明の効果】
【０００７】
本発明は、塗装部の２分割により塗装物が接合されていても塗装が可能になり、それぞれの枠の外側の中心部分に軸を設けた塗装部と、それぞれの塗装部が、回動できるように軸を支持する軸受けに取り付けたことで直線や曲線の塗装面などにも均一に塗装ができる。又、均等の厚みの海綿体が接合する箇所を斜めにカットすることで、塗装部に均等に力がかかり塗料が液だれすることがなく、又、開閉するための取っ手を取り付けてあるので、塗装部がいかなる角度のものでも無理なく塗装が出来る。
【図面の簡単な説明】
【０００８】
【図１】本発明の塗装具の全体図
【図２】本発明の塗装具の塗装具のＡ−Ａ断面の拡大図
【図３】本発明の塗装具で被塗装物を包む状況を表した図面
【図４】本発明の塗装具を使用している図面
【図５】本発明の塗装具の外部面
【図６】本発明の塗装具の内壁図
【図７】本発明の別実施例の断面図
【図８】本発明の別実施例の外側の平面図
【図９】特許文献１の塗装具の斜視図
【図１０】特許文献１の使用図
【図１１】本発明の塗装具の側面図
【図１２】本発明の塗装具の方向別の全体図
【発明を実施するための形態】
【０００９】
本発明は、ハサミ型の両先端に軸受け３を設けて、枠４の外側の中心分の付いている軸６を軸６より少し大きく軸受け３にいれ、軸止め７で止めた枠を２分割することで、開閉と回動が出来るので自由に塗装物を包むことができることと、液だれ、液むら、刷毛むら、などに注目し除々に工夫を凝らした、１つに、枠四の内側の四方の縁の部分に立ち上がり８を設けて、その立ち上がり８の内側に海綿体５を設置し、海綿体５を立ち上がり８より均等に高くして液だれなどを防ぐと共に、２分割の枠４が接合するとき海綿体５の４箇所の接合部分には斜めにカットして液むらに注意し、今までの塗装具に無い特徴を持った塗装道具である。
【００１０】
本発明の塗装道具は、断面形状が同一形状の枠４が２分割して、被塗装物に塗装部の枠４が、被塗装物をはさむことで被塗装物に自在に、塗装することができる。
以下、本発明を実施するための形状について説明する。
【００１１】
（実施の形態１）
本発明の塗装具は、ハサミ形、トンク形のような形の物で図１、図７に示すように取っ手部分１、支軸２、軸受け３、枠４、海綿体５、軸６、軸止め７、枠の四方の立ち上がり８及び塗料入れ９からなる構成で被塗装物を塗装できる塗装具である。
【００１２】
本発明のハサミ形の取っ手１部分について、２つの取っ手１部分が支軸２を交えた２つ先が図１で示しているように変形させた所に塗装部が取り付けてあり、塗装部の枠４が２分割しているので、塗装部の枠４が開閉することで、塗装物を包むように操作ができる。
【００１３】
上記、取っ手１部分の両先端が図２の拡大図で紹介しているように半円形の枠４が２ツ有り、枠４の軸６が外側の中心部分で一体化になって付いていて、取っ手１部分の両先端に有る軸受け３は軸６よりも少し大きくし、その軸受け３に軸６を入れ、軸止め７で止めるようになっているので、枠４が回動することが出来、自在に枠４が動かすことができる。
【００１４】
また、２分割した2ツの枠４の内側に向けて、液漏れ防止のために四方の縁に立ち上がり８を設けて、液だれを防ぎ、その枠４の内側部分の四方の縁に立ち上がり８の中に、海綿体５、スポンジなどの浸透素材を、立ち上がりの高さより海綿体５を均等に高く設けてあるので、塗装物全面に枠４の中の海綿体５が付く。
【００１５】
その海綿体５にも液だれ防止のために、枠４が接合する位置で海綿体５の接合箇所に力
が均等にかかるように接合部分の双方を斜めに加工し、塗装むらなどをなくし一度で塗装
ができる。
【００１６】
又、２ツの枠４の同一方面の片面に、塗料を入れる塗料いれを設けて、枠４と一体化に
なっている塗料入れ９に面したところに、小さな穴をいくつも開け機密性の高い浸透材を
設けて、塗料が少しずつ塗装部の海綿体５に染みるようになり、一度で長く塗装の作業効
率が上がる。そして、塗料入れ９に蓋１０を設けて、塗料が漏れないようにした、塗装部
の塗料入れ９が枠４に一体化して設けられている。
【００１７】
図１で示している、取っ手１部分と塗装部の方向になっているものと、図１２で紹介し
ている、取っ手１部分と塗装部が９０度角度の違う塗装道具もある。この塗装道具の場合
、塗装部が閉じるときにスライドしながら対面的に接合する。
【００１８】
今までの塗装道具は、手馴れた職人達が時間を掛けて作業していた、プール、体育館、
ベランダ、屋上、などの柵を本発明は、手馴れていない職人、一般人、子供でも簡単に塗
装が出来るように構成された塗装道具である。
【００１９】
本発明の塗装部の枠４には、海綿体５またはスポンジなどの浸透素材を使用し、２ツの
枠４が接合する全部分を図４に示す形に斜めにカットし、海綿体５などに均等に力が働く
ことで塗料が余分に集まらない構造なので、海綿体５などからの液ダレによる、液むらな
どを無くし刷毛むらにならない構成である。
【００２０】
従来の作業方法の刷毛、ローラーなどでは、塗装面全体に一度で接合が出来ず何回も繰
り返し塗装していたが、本発明の塗装具は、塗装部の大きさに合わした海綿体５付き枠４
が塗装面全体を包むことで、一度で均等に塗装でき、又、枠４の外側の中心部分に軸６を
設けて塗装部と、それぞれの塗装部が塗装物を塗装する時に回転するので、自在な動きで
簡単に塗装が可能になった。そして、塗装時の液ダレ刷毛むらなどには、枠４の四方の縁
に液ダレ防止のための立ち上がり8を設けた。その立ち上がり8の内側に海綿体5が設置
されていて、海綿体5にも液ダレ刷毛むら防止のために、枠4が接合する部分で海綿体５
の接合箇所に力が均等にかかるように、接合部分の双方を斜めに加工し、塗装時の液ダレ
刷毛むらも無く簡単に一度で塗装画できる。
【００２１】
以下、図1、図2、図3に示すように、ハサミ形の両先端部分の断面形状が同一形状の
枠4の全縁に立ち上がり8を設け、その内側に、接合部分に力が均等に架かるように、斜
めに加工された海綿体5が２ツカットされてついているので、液だれや塗装むらをしなく
なり、又、ハサミ形の両先端部分がそれぞれの枠４の軸6の外側の中心部分に塗装部とそ
れぞれの塗装部が回転できるように軸6を支持する軸受け3に塗装部を開閉するための取
っ手１を取り付けているので、自由自在に動き、上下、左右、斜めの動きや、曲線や接合
されたものなどに無理なく自由に塗装部分に一度で塗装ができる。
【００２２】
図1に示すように、塗装具は、ハサミ形の取っ手1を備えている。これらの取っ手1は
、その支軸2がネジでとめられており、開閉可能に構成されている。そして、取っ手1の
先端部分には、軸受け3が設けられている。その軸受け3に枠4の外側を中心にした所に
軸6を設け、その軸6を軸受け3に入れ、軸止め7で軸6を止めているので枠4が自在に
動き、そして、塗装部について枠４の四方の縁に立ち上がり8を設けて、液だれや液漏れ
を防ぐ働きが有り、枠４の四方の縁の内側に変形に加工された海綿体5が有り枠４の形と
同じ形にし、枠4の四方の立ち上がり8より内側より高く設けてある。又、海綿体5が接
合する部分には力が分散するように、斜めにカットして塗布部に液だれ、刷毛むらなどを
起こらない構造である。
【符号の説明】
【００２３】
１  取っ手
２  支軸
３  軸受け
４  枠
５  変形に加工された海綿体
６  軸
７  軸止め
８  枠の立ち上がり部分
９  塗料入れ
１０  塗料入れる蓋
【図１】
2012040545.tif 000003
【図２】
2012040545.tif 000004
【図３】
2012040545.tif 000005
【図４】
2012040545.tif 000006
【図５】
2012040545.tif 000007
【図６】
2012040545.tif 000008
【図７】
2012040545.tif 000009
【図８】
2012040545.tif 000010
【図９】
2012040545.tif 000011
【図１０】
2012040545.tif 000012
【図１１】
2012040545.tif 000013
【図１２】
2012040545.tif 000014
【手続補正書】
【提出日】平成22年12月27日(2010.12.27)
【手続補正１】
【補正対象書類名】明細書
【補正対象項目名】全文
【補正方法】変更
【補正の内容】
【発明の詳細な説明】
【技術分野】
【０００１】
この発明は、断面形状が同一形状の被塗装物を塗装するための塗装具に関するものである。
【背景技術】
【０００２】
今までは一般的に塗装道具と言えば刷毛やローラーなどを使って塗装を行っていた。しかし、なれていない人が刷毛などを使い円柱物を塗装すると刷毛むらや液だれを起こし、きれいな塗装ができず時間ばかりかかっていた。
【０００３】
そこで、そのような課題を解決するために、例えば、特許文献１に記載されてい
る塗装具が考えられている。この塗装具について図７を用いて説明すると、
この塗装具は、図７に示すように塗装具１０１の先端の内側にスポンジ１０２を付けそのスポンジ１０２に塗料を染み込ませて被塗装物を塗装する塗装具である。この塗装具は、塗装具１０１の内に被塗装物を通すことによって、なれない人でも刷毛むらや液だれを起こさないで塗装できるように工夫されている。
【先行技術文献】
【特許文献】
【０００４】
【特許文献１】実用新案登録第３０００７８６号公報
【発明の概要】
【発明が解決しようとする課題】
【０００５】
しかしながら、特許文献１の塗装具は、図８（A）のように端部には何も無
い直線状の被塗装物１０６などには使えても、図８（B）のように両端部に
接続された柵１０５などには被塗装物を、塗装具１０１の内に通すことが出
来ないので、塗装することができない。
【課題を解決するための手段】
【０００６】
そこでこのような課題を解決するために、本発明の塗装具は、断面形状が同一形状の被塗装物を塗装するための塗装具であって、被塗装物の形状に合わせた枠を２分割し、それぞれの枠の内側に浸透素材を設け、それぞれの枠の外側に軸を設けた塗装部と、それぞれの塗装部が回動できるように軸を支持する軸受けに塗装部を開閉するための取っ手を取り付けた操作部と、を備えたことを特徴とする。
【０００７】
また、本発明の塗装具は、枠に、塗料が漏れないように立ち上がりを設けたことを
特徴とする。
【０００８】
また、本発明の塗装具は、枠に浸透素材に対して塗料を供給する塗料供給部を設け
たことを特徴とする。
【発明の効果】
【０００９】
本発明の塗装具は、被塗装物の形状に合わせた枠を２分割しそれぞれの枠の内側に浸透素材を設けそれぞれの枠の外側に軸を設けた塗装部を備えているので、両端部が接続されている被塗装物に対しても枠に被塗装物を挟むことによって刷毛むら液だれなども無く塗装することができる。そして、手や体が入らない場所や、裏側が見えない所などにも簡単に塗装が出来る。
【００１０】
又、本発明の塗装具は、塗装部が、回動出来るように塗装部の軸が軸受けに
支持されているので、移動しないで長い範囲を塗装でき、被塗装物が曲線で
あっても、曲線に追随して塗装することができる、その結果、手馴れた職人
以外でも誰にでも塗装が出来る塗装具である。
【００１１】
２分割された枠の内側の四方の縁に立ち上がりを設けているので、塗料漏れ
や液だれなどを防ぐことが出来る。また、立ち上がりによって浸透素材を固
定する事もできる。
【００１２】
塗装部の枠の浸透素材に塗料を供給する塗料供給部を設けたので、何度も塗
料を付けずにスムーズに長い範囲の塗装が出来る。
【図面の簡単な説明】
【００１３】
【図１】本発明の塗装具の全体図
【図２】本発明の枠の外側
【図３】本発明の拡大した塗装部の断面図
【図４】本発明のトンク形の断面図
【図５】本発明の塗装部の枠に塗装供給部の有る側面図
【図６】本発明の塗装具が円柱物を挟む図面
【図７】従来の塗装具の側面図
【図８】従来の塗装具の使用不可を示す図
【発明を実施するための形態】
【００１４】
以下、本発明の塗装具を、具体的に図面を用いて詳細に説明する。
本発明の塗装具は、図1に図示しているように、操作部１と塗装部１１と
から構成されていて、操作部１は、取っ手２と、交差部３と、取り付け部４
と、軸受け７と、からなっている。塗装部１１は２分割された枠５と、枠５
の外側の中心部分に設けられた軸6と、軸６を止めるための軸止め８と、枠
５の立ち上がり９と、から構成されている。
取っ手２と、取り付け部４と、枠５と、軸６と、軸止め８はプラスチックを
使用している。交差部３は金物を使用している。
【００１５】
塗装部１１の操作部１への取り付け構成について説明すると、操作部１の取
り付け部４に設けられている軸受け７に、塗装部１１の枠５の外側の中心部
分にある軸６を挿入し、軸止め８を軸６に取り付けている。その結果、取っ
手２に指を入れ動かすことで、枠５を開閉させることができ、枠５は軸６を
中心に回動することが出来るようになっている。
【００１６】
塗装部１１の枠５について図３を用いて説明すると、枠５には、その四方の縁に
内側に向けて立ち上がり９が設けられ、その立ち上がり９の中に，立ち上がり９
よりも高くしたスポンジ１０を敷き詰め固定させている。スポンジ１０は枠５の立ち上がり９より突き出た接合箇所を斜めに成形させることで塗料漏れや液ダレを防止することができ、塗料が被塗装物を均等に塗装することができる。
【００１７】
尚、操作部１は、図４のようにトンク形に変えてもかまわない
【００１８】
また、塗装具の枠５に塗料を浸透素材１０に供給するための塗料供給部１２を取
り付けても良い。例えば、図５に図示しているように塗料供給具には塗料を補充
することの供給部（図示せず）を設け蓋１３で閉じるようにしている。２分割さ
れた２ツの枠５の一方に塗料供給部１２と枠５の接合箇所に小さな穴を多くあ
け，塗料が小さな穴を通じて枠５のスポンッジ１０に供給することが出来るよう
にしている。
【００１９】
また、浸透素材１０について，実施例ではスポンジ１０を用いて説明しているが、
スポンジ以外でも，海綿体、ウレタン、のような浸透素材等でもよい。
【００２０】
次に、この塗装具の使い方を図６を用いて説明すると、塗装具の塗装部１１に設
けているスポンジ１０に塗料を含ませ、取っ手２を操作して枠５を開いて被塗装
物５０をはさんだ後、塗装部１１を被塗装物５０に沿わせ動かすことによって被
塗装物５０を塗装することができる。断面形状が同じ枠５の形状であるので均一
に塗装できるとともに、枠５が回動するので移動せずに広い範囲の塗装ができる
【符号の説明】
【００２１】
１操作部
２取っ手
３交差部
４取り付け部
５枠
６軸
７軸受け
８軸止め
９立ち上がり
１０スポンジ
１１塗装部
１２塗料供給部
１３塗料供給部の蓋
５０被塗装物
１０１従来の塗装具
１０２従来の塗装具の塗装部
１０５柵
１０６直線の被塗装物
【手続補正２】
【補正対象書類名】特許請求の範囲
【補正対象項目名】全文
【補正方法】変更
【補正の内容】
【特許請求の範囲】
【請求項１】
断面形状が同一形状の被塗装物を塗装するための塗装具であって、被塗装物の形状に合わせた枠を２分割し、それぞれの枠の内側に浸透素材を設け、それぞれの枠の外側に軸を設けた塗装部と、それぞれの塗装部が回動できるように軸を支持する軸受けに塗装部を開閉するための取っ手を取り付けた操作部と、を備えたことを特徴とする塗装具。
【請求項２】
枠に、塗料が漏れないように立ち上がりを設けたことを特徴とする請求項１に記載
の塗装具。
【請求項３】
枠に、浸透素材に対して塗料を供給する塗料供給部を設けたことを特徴とする請求
項１、または、請求項２に記載の塗装具。
【手続補正４】
【補正対象書類名】図面
【補正対象項目名】全図
【補正方法】変更
【補正の内容】
【図１】
2012040545.tif 000015
【図２】
2012040545.tif 000016
【図３】
2012040545.tif 000017
【図４】
2012040545.tif 000018
【図５】
2012040545.tif 000019
【図６】
2012040545.tif 000020
【図７】
2012040545.tif 000021
【図８】
2012040545.tif 000022